(57)【要約】【課題】複数のＣＡＤ結果の比較を容易に行なえる医用画像表示装置を提供する。【解決手段】基準画像Ｐの被写体上の異常陰影の位置にマークＥ，Ｔ，Ｏを付すとともに、マークＥ，Ｔ，ＯとこのマークＥ，Ｔ，Ｏの位置に存在する異常陰影を検出した医用画像または加工画像ＥＳ，ＴＳとを対応付けた画像を表示画面上に表示する。表示画面上に表示されているマークＥ，Ｔ，Ｏを指示すると、マークＥ，Ｔ，Ｏの位置に存在する異常陰影を検出した医用画像または加工画像ＥＳ，ＴＳに表示画面上の画像を切り替えて表示する。【選択図】図４
2008000496.tif 000002
【特許請求の範囲】
【請求項１】
被写体を撮影した医用画像または該医用画像を加工した加工画像の複数のそれぞれから異常陰影検出処理を用いて検出した被写体上の異常陰影の位置を記憶する異常陰影位置記憶手段と、
前記医用画像または加工画像の１つを基準画像として、該基準画像の被写体上の前記異常陰影の位置にマークを付した画像を表示画面上に表示する異常陰影位置表示手段と、
前記マークと該マークの位置に存在する異常陰影を検出した前記医用画像または加工画像とを対応付けた対応情報を記憶する対応情報記憶手段と、
前記表示画面上に表示されているマークの指示を受け付ける指示受付手段と、
前記指示受付手段によりマークの指示を受け付けた際、前記対応情報に基づいて該マークの位置に存在する異常陰影を検出した前記医用画像または加工画像に前記表示画面上の画像を切り替えて表示する切替表示手段とを備えたことを特徴とする医用画像表示装置。
【請求項２】
前記切替表示手段が、切り替えて表示した前記医用画像または加工画像上に、該画像から検出した異常陰影の位置を表すマークを表示するものであることを特徴とする請求項１記載の医用画像表示装置。
【請求項３】
前記異常陰影が、前記医用画像または加工画像に応じて異なる手法の異常陰影検出処理を用いて検出されたものであることを特徴とする請求項１または２記載の医用画像表示装置。
【請求項４】
コンピュータを、
被写体を撮影した医用画像または該医用画像を加工した加工画像の複数のそれぞれから異常陰影検出処理を用いて検出した被写体上の異常陰影の位置を記憶する異常陰影位置記憶手段と、
前記医用画像または加工画像の１つを基準画像として、該基準画像の被写体上の前記異常陰影の位置にマークを付した画像を表示画面上に表示する異常陰影位置表示手段と、
前記マークと該マークの位置に存在する異常陰影を検出した前記医用画像または加工画像とを対応付けた対応情報を記憶する対応情報記憶手段と、
前記表示画面上に表示されているマークの指示を受け付ける指示受付手段と、
前記指示受付手段によりマークの指示を受け付けた際、前記対応情報に基づいて該マークの位置に存在する異常陰影を検出した前記医用画像または加工画像に前記表示画面上の画像を切り替えて表示する切替表示手段として機能させるプログラム。
【発明の詳細な説明】
【技術分野】
【０００１】
本発明は、診断のために医用画像を表示する医用画像表示装置およびそのプログラムに関するものである。
【背景技術】
【０００２】
従来より、被写体の放射線画像を用いて病変部を発見し、またその病変部の状態を観察して、疾病の有無や進行状況の診断を行うことが一般的に行なわれている。そして、この放射線画像の読影は観察者の経験や画像読影能力によって左右される。例えば、癌の検査を目的として撮影された画像から癌化した部分を指定することが望まれるが、観察者によっては必ずしも的確にその異常陰影の範囲を指定できるとは限らない。このため、観察者の技量に依存せずに、腫瘤陰影や微小石灰化陰影を始めとする異常陰影を的確に検出することが求められている。
【０００３】
この要望に応えるために、計算機処理を用いて異常陰影候補を自動的に検出するようにした画像診断支援装置（CAD ; Computer Aided Diagnosis ）の研究が最近進んでいる。CADは、異常陰影の濃度分布の特徴や形状の特徴に基づいて、異常陰影候補を計算機を用いて自動的に検出するものがあり、この異常陰影候補の検出処理としては、腫瘤陰影候補を検出するのに適したアイリスフィルタ処理等が提案されている（小畑他「ＤＲ画像における腫瘤影検出（アイリスフィルタ）」電子情報通信学会論文誌 D-11 Vol.J75-D-11 No.3 P663〜670 1992年３月等）。
【０００４】
アイリスフィルタ処理により得られた異常陰影の候補領域のうち、正常な組織を撮影した陰影や良性の陰影を除外し、悪性の陰影のみを検出するために、検出された候補領域の内部または辺縁の特徴を表す複数の特徴量を用いてその候補領域を判定し、悪性と判定された陰影の候補領域のみを異常陰影候補として検出する方法が種々提案されている。さらに、アイリスフィルタ処理によって検出された異常陰影の候補領域に対し、候補領域内部の濃度ヒストグラムを求め、このヒストグラムに基づいて、すなわち分散値、コントラスト、角モーメント等の特徴量を算出し、さらに各特徴量を評価して悪性の陰影のみを検出する方法が提案されている。この評価を行うために、マハラノビス距離やニューラルネットワークなどの種々の学習器を用いる方法が提案されている（例えば、特許文献１など）。
【０００５】
また、異常陰影を検出する際に用いられる画像は、被写体を単純Ｘ線撮影した画像だけではなく、エネルギーサブトラクション撮影によって得られた画像等も用いられる。例えば、胸部のガンを検出する際にはエネルギーサブトラクションによって軟部のみが撮影された軟部画像を用いることによって、骨などの背景画像に影響されないでガンの検出精度を向上させる方法が提案されている（例えば、特許文献２など）。
【０００６】
また、オリジナルの胸部画像上にあらわれたガンなどの結節状陰影は、正常構造と結節状陰影の区別が明確ではないため、撮影時期の異なる２つの撮影画像の差分を取った経時サブトラクション画像を用いることによって、ガンの検出精度を向上させる方法が提案されている（例えば、特許文献３など）。
【０００７】
あるいは、ＣＴ撮影などによって得られた断層画像を用いることによって、異常陰影を検出する方法が提案されている（例えば、非特許文献１など）。
【特許文献１】特開２００２−７４３２公報
【特許文献２】特表２００２−５２１８９６公報
【特許文献２】特開２００４−４８５８７公報
【非特許文献１】Rafael Wiemker, “Computer aided lung nodule detection on high resolution CT data”, SPIE Vol.4684, 677-688, (2002)
【発明の開示】
【発明が解決しようとする課題】
【０００８】
上述のように、ＣＡＤ処理は画像診断において診断精度の向上と、読影時間の短縮を目的として行われる。胸部単純画像の読影において、正面画像の他に同一被検者に関連する複数の画像を合わせて読影することで精度が向上する。
【０００９】
しかしながら、多くの画像を読影することで診断精度は向上するが、各画像のＣＡＤ処理結果を参照しながらであっても、対応する場所を画像から目視によって捜して読影を行わなければならず読影作業に多くの時間を要してしまう。また、ＣＡＤ処理されて検出される異常陰影の結果は、用いられた画像やＣＡＤ処理の種類によって違ってくるため比較を行うために、繰り返し画像を切り替えて表示させて比較するなど煩雑な作業が必要になる。
【００１０】
そこで、本願発明では上記課題に鑑みて、複数のＣＡＤ結果の比較を容易に行なえる医用画像表示装置、および、そのプログラムを提供することを目的とするものである。
【課題を解決するための手段】
【００１１】
本発明の医用画像表示装置は、被写体を撮影した医用画像または該医用画像を加工した加工画像の複数のそれぞれから異常陰影検出処理を用いて検出した被写体上の異常陰影の位置を記憶する異常陰影位置記憶手段と、
前記医用画像または加工画像の１つを基準画像として、該基準画像の被写体上の前記異常陰影の位置にマークを付した画像を表示画面上に表示する異常陰影位置表示手段と、
前記マークと該マークの位置に存在する異常陰影を検出した前記医用画像または加工画像とを対応付けた対応情報を記憶する対応情報記憶手段と、
前記表示画面上に表示されているマークの指示を受け付ける指示受付手段と、
前記指示受付手段によりマークの指示を受け付けた際、前記対応情報に基づいて該マークの位置に存在する異常陰影を検出した前記医用画像または加工画像に前記表示画面上の画像を切り替えて表示する切替表示手段とを備えたことを特徴とするものである。
【００１２】
本願発明のプログラムは、コンピュータを、
被写体を撮影した医用画像または該医用画像を加工した加工画像の複数のそれぞれから異常陰影検出処理を用いて検出した被写体上の異常陰影の位置を記憶する異常陰影位置記憶手段と、
前記医用画像または加工画像の１つを基準画像として、該基準画像の被写体上の前記異常陰影の位置にマークを付した画像を表示画面上に表示する異常陰影位置表示手段と、
前記マークと該マークの位置に存在する異常陰影を検出した前記医用画像または加工画像とを対応付けた対応情報を記憶する対応情報記憶手段と、
前記表示画面上に表示されているマークの指示を受け付ける指示受付手段と、
前記指示受付手段によりマークの指示を受け付けた際、前記対応情報に基づいて該マークの位置に存在する異常陰影を検出した前記医用画像または加工画像に前記表示画面上の画像を切り替えて表示する切替表示手段として機能させることを特徴とするものである。
【００１３】
「被写体上の異常陰影の位置」とは、画像の被写体上に現れている異常陰影の場所をいい、画像上における位置であってもよいし、被写体上における位置であってもよい。
【００１４】
「異常陰影の位置にマークを付す」とは、表示している画像の異常陰影上にマーク重ねて表示することをいう。
【００１５】
「マークの指示を受け付ける」とは、マウスでクリックするなど入力装置を用いてユーザがマークを指示したことを医用画像表示装置が受け取ることをいう。
【００１６】
前記切替表示手段は、切り替えて表示した前記医用画像または加工画像上に、該画像から検出した異常陰影の位置を表すマークを表示するものであってもよい。
【００１７】
前記異常陰影は、前記医用画像または加工画像に応じて異なる手法の異常陰影検出処理を用いて検出されたものであってもよい。
【発明の効果】
【００１８】
本発明によれば、複数の医用画像や加工画像から異常陰影検出処理で異常陰影を検出し、検出した異常陰影の位置がわかるように基準画像上にマークを表示し、このマークをマウスなどの入力装置を用いて指示すると、このマークの位置に存在する異常陰影を検出した医用画像や加工画像に前記表示画面上の画像を切り替えて表示できるようにすることにより、複数の医用画像や加工画像から検出した異常陰影がどこに存在するかを把握することができ、さらに、各マークを指示すると検出元の画像を表示することで異常陰影が現れていると判定された画像を確認して、検出された異常陰影が真に異常であるか否かを確認することができる。また、複数の画像の同じ場所から異常陰影が検出された場合には、複数の画像を切り替えて表示することにより、正確な診断を行うことができる。
【００１９】
さらに、切り替えて表示した医用画像または加工画像上に、この画像から検出した異常陰影の位置を表すマークを表示することにより、検出元の画像上の位置を確認することができる。
【発明を実施するための最良の形態】
【００２０】
以下、図面を参照して本発明の実施の形態について説明する。
【００２１】
図１は、医用画像表示装置１の構成を示すものである。なお、図１のような医用画像表示装置１の構成は、補助記憶装置に読み込まれた画像処理プログラムがコンピュータ（たとえばワークステーション等）上で実行されることにより実現される。このとき、コンピュータには、ＣＤ−ＲＯＭ等の情報記憶媒体に記憶された医用画像表示処理プログラムがインストールされる。あるいは、インターネット等のネットワークを介して医用画像表示プログラムが配布されて、コンピュータにインストールされる。
【００２２】
医用画像表示装置１は、被写体を撮影した医用画像またはこの医用画像を加工した加工画像を記憶する医用画像記憶手段１０と、複数の異常陰影検出処理２０と、被写体を撮影した医用画像または加工画像の複数のそれぞれから異常陰影検出処理２０を用いて検出した被写体上の異常陰影の位置を記憶する異常陰影位置記憶手段３０と、基準画像の被写体上の異常陰影の位置にマークを付した画像を表示画面２上に表示する異常陰影位置表示手段４０と、各マークの位置に存在する異常陰影を検出した前記医用画像または加工画像とを対応付けた対応情報を記憶する対応情報記憶手段５０と、表示画面２上に表示されているマークの指示を受け付ける指示受付手段６０と、指示受付手段６０によりマークの指示を受け付けた際、対応情報に基づいて該マークの位置に存在する異常陰影を検出した前記医用画像または加工画像に表示画面２上の画像を切り替えて表示する切替表示手段７０と、切替表示手段７０が切り替えて表示した医用画像または加工画像上に、該画像から検出した異常陰影の位置を表すマークを表示する検出位置表示手段８０を備える。
【００２３】
医用画像記憶手段１０は、画像サーバやハードディスクなどの大容量記憶装置であり、被写体を撮影した医用画像や医用画像を加工した加工画像を記憶するものである。医用画像は、同じ被写体を撮影した単純X画像や、エネルギーサブトラクション撮影によって得られた軟部画像や骨部画像、CT撮影画像など種々のモダリティで撮影した画像である。また、加工画像は、同じ被写体を異なる時期に撮影した２枚の画像の差分を求めた差分画像（経時サブトラクション画像）や、被写体を撮影した画像から肋骨や軟部の画像を人工的に生成した人工画像（人工画像の生成方法の詳細は、本願出願人が出願の特開２００６−６３５９などを参照）を際し引いた差分画像などである。
【００２４】
異常陰影検出処理２０は、被写体をX線撮影して得られた単純X画像から異常陰影を検出するものや、エネルギーサブトラクション撮影によって得られた軟部画像や骨部画像から異常陰影を検出するものや、同じ被写体を異なる時期に撮影した２枚の単純X線画像の差分画像から異常陰影を検出するもの等がある。あるいは、CTやMRIのような断層撮影装置を撮影した断層画像から異常陰影を検出するものもある。
【００２５】
あるいは、同じ画像から異常陰影を検出するものであっても、乳房を撮影したマンモグラフィから、主として腫瘤の陰影を検出するのに適したアイリスフィルタ処理や、微小石灰化陰影を検出するのに適したモフォロジーフィルタ処理のように、異常陰影の検出処理によって異なる種類の異常陰影を検出するものがある。
【００２６】
上述のように異常陰影検出処理２０には、同じ被写体を撮影した同じ画像に対して異なる手法で異常陰影を検出するものや、同じ被写体を異なる手法で撮影した医用画像や加工画像などの異なる種類の画像から異常陰影を検出するものがあり、医用画像表示装置１には、複数の種類の異常陰影検出処理２０がインストールされている。
【００２７】
異常陰影位置記憶手段３０は、上述で説明したような同じ被写体を撮影した医用画像、あるいは加工画像の複数から、各画像の異常陰影の検出に適した異常陰影検出処理２０を用いて検出した被写体上の異常陰影の位置を記憶する。異常陰影の位置は、画像上の位置を記憶したものであってもよいが、被写体の位置や被写体の解剖学的な構造を検出して被写体上のどこにあるかを記憶するようにしてもよい。
【００２８】
上述のように検出対象となった画像の種類や、異常陰影検出処理の種類によって、同じ被写体の同じ部位を撮影した画像であっても検出できる異常陰影が異なるため、複数の異常陰影検出手段２０で同じ病変部の異常陰影を同じ位置で検出する場合もあるが、各異常陰影検出手段２０が異なった病変部を検出して同じ位置では検出されない場合もある。
【００２９】
複数の異なる異常陰影検出処理２０によって得られた複数の結果を参照することによって診断性能は向上するが、上述のように、別の画像からは異なる位置に異常陰影が検出されることがあり、それぞれの結果を別々に確認したのでは、検出された異常陰影が、同じ位置に存在する病変部を検出したものであるか、異なる位置に存在する病変部を検出したものであるかを正確に把握するのは難しい。
【００３０】
そこで、異常陰影位置表示手段４０は、被写体を撮影した医用画像の１つを基準画像Ｐとして、この基準画像Ｐの被写体上に各異常陰影検出処理２０によって検出された異常陰影の位置にマークを付して、そのマークが付された画像をコンピュータの表示画面２上に表示する。
【００３１】
例えば、図２に示すように、胸部画像の場合には単純X線画像を基準画像Ｐとして、各異常陰影検出処理２０によって検出された異常陰影の位置にマークを表示する。胸部を撮影した単純X線画像と、ネルギーサブトラクションの軟部画像と、経時サブトラクション画像とから検出された異常陰影を基準画像（単純X線画像）Ｐ上に表示する場合には、まず、各画像から被写体の胸郭を検出して胸郭の輪郭が一致するようにアフィン変換などで位置合せを行って、基準画像Ｐ上に単純X線画像、エネルギーサブトラクションの軟部画像、経時サブトラクション画像のそれぞれから検出された異常陰影の位置に、異常陰影が検出されたことを表すマークを表示する。
【００３２】
このマークは異常陰影の検出に用いられた画像毎にマークを変えたものが好ましく、例えば、単純X線画像から検出された異常陰影の位置には「O」を表示し、エネルギーサブトラクションの軟部画像から検出された異常陰影の位置には「E」を表示し、経時サブトラクション画像から検出された異常陰影の位置には「T」を表示する。また、複数の画像から同じ位置で異常陰影が検出された場合には、マークが重ならないように複数表示してもよい。また、マークは、上述の文字に限らず、点や丸などの記号であってもよいし、異常陰影が検出された範囲を囲んだものであってもよい。さらに、検出された画像に応じて、マークの形状を変えたり色を変えたりして区別するようにしてもよい。このように基準画像Ｐ上にマークを重ねた画像は、Ｗｅｂページとして生成して表示画面２上に表示するようにしてもよい。
【００３３】
対応情報記憶手段５０には、基準画像Ｐ上に表示したマークと、このマークの位置に存在する異常陰影を検出した医用画像または加工画像とを対応付けた対応情報が記憶される。対応情報として、具体的には、基準画像Ｐ上に表示したマークと医用画像または加工画像とを対応付けたをリンク情報としてＷｅｂページに埋め込んで記憶するようにする。例えば、図３に示すように、基準画像上にマークを表示した位置、つまり、検出された異常陰影の位置を含む所定の範囲の領域（図３の白線で囲まれた領域）を設定し、設定された領域とこの位置の異常陰影を検出した画像を記憶している場所とをアンカータグなどを用いてリンクさせる。設定する領域は、検出された異常陰影の少なくとも一部を含むように設定されればよく、表示されたマーク上に限らずその周辺の領域を含むようにしてもよい。
【００３４】
このように同一画面上に複数の種類の画像（単純X線画像、エネルギーサブトラクションの軟部画像、経時サブトラクション画像など）から検出された異常陰影の位置を表示することによって、各画像から検出された異常陰影がどの場所に存在するかを把握して、同じ場所で検出されたのか、異なる場所から検出されたのかを確認することができる。
【００３５】
単純X線撮影画像とエネルギーサブトラクションの軟部画像と経時サブトラクション画像は、いずれも正面画像であるので胸郭が一致するように位置合せ行えばよいが、側面画像やＣＴ撮影装置で撮影した断層画像とでは、撮影するときの姿勢や撮影した向きが正面画像とは異なるため、以下のようにして対応する位置を求めて表示する。
【００３６】
被写体を側面から撮影した側面画像と正面画像とでは撮影した向きが違うので、異常陰影の現れた位置の高さが対応づくように表示を行う。具体的には、被写体の胸部を撮影した側面画像から検出した異常陰影の位置を胸部の正面画像上に表示する場合は、側面画像と正面画像から抽出した肺野の最も高い点と最も低い点とが対応するように位置合わせし、正面画像の縦隔上に、側面画像から検出した異常陰影の位置に対応する高さのところにマークを表示する。
【００３７】
あるいは、ＣＴ画像と正面画像とを対応させて表示する場合には、ＣＴ画像で検出された異常陰影の位置を正面画像上に表示する場合は、ＣＴ画像を正面画像上に投影させた位置に異常陰影のマークを表示する。
【００３８】
指示受付手段６０は、表示画面２上に表示された画像上のマークのいずれかが指示されたことを受け付ける。具体的には、マウスなどのポインティングデバイスやキーボードなどで基準画像Ｐ上に設定された領域内の点が指示されたことを受け付ける。あるいは、領域の外の点であっても、最も近い領域が指示されたマークである判定して受け付ける。
【００３９】
切替表示手段７０は、指示受付手段６０でマークが指示されたことを受け付けると、指示されたマークのリンク情報を用いて、マークの位置に存在する異常陰影を検出した医用画像や加工画像を医用画像記憶手段１０から読み出して、基準画像Ｐを異常陰影を検出した画像に切り替えて表示画面２上に表示する。例えば、図４に示すように、指示受付手段６０で「Ｅ」のマークのところをマウスなどでクリックして指示されたことを受け付けると、ネルギーサブトラクションの軟部画像ＥＳに切替えて表示し、指示受付手段６０で「Ｔ」のマークのところをマウスなどでクリックして指示されたことを受け付けると、経時サブトラクション画像ＴＳに切替えて表示する。
【００４０】
また、複数の画像から同じ位置あるいは近くの位置から異常陰影を検出した場合には、指示受付手段６０で受け付けた指示が、どの画像のマークの指示であるかを区別することができない場合がある。その場合には、プルダウンメニューなどで該当する画像の一覧を表示して切替える画像をユーザに指示させた後に、ユーザが指示した画像に切替えて表示する。あるいは、ユーザからの「スペースキー」の入力などの特定の入力が行われるたびに該当する複数の画像を切替えて表示するようにしてもよい。
【００４１】
検出位置表示手段８０は、異常陰影を検出した医用画像または加工画像上に、その画像から検出した異常陰影の位置にマークを表示する。このマークは、基準画像Ｐ上に表示したマークと対応させて、例えば、エネルギーサブトラクションの軟部画像ＥＳには異常陰影を検出した位置に「E」を表示し、経時サブトラクション画像ＴＳには異常陰影の検出された位置に「T」を表示するようにする。
【００４２】
以下、図５のフローチャートを用いて、医用画像表示装置１で複数の画像から検出した異常陰影の位置にマークが表示された基準画像と、異常陰影が検出された画像とを切替えて表示する処理の流れについて説明する。
【００４３】
医用画像記憶手段１０に記憶されている医用画像または加工画像の複数から、各画像に応じた異常陰影検出処理２０を用いて異常陰影を検出する（Ｓ１００）。各画像から検出された異常陰影の位置を異常陰影位置記憶手段３０に記憶する。このとき、検出された異常陰影と、その異常陰影が検出された医用画像または加工画像とを対応付けて記憶する（Ｓ１０１）。
【００４４】
そこで、医用画像記憶手段１０に記憶されている医用画像または加工画像のうちの１つの画像、例えば、単純Ｘ線画像を基準画像Ｐとし、異常陰影位置表示手段４０で基準画像Ｐと異常陰影が検出された医用画像または加工画像（例えば、エネルギーサブトラクションの軟部画像や経時サブトラクション画像）とを位置合せする（Ｓ１０２）。その位置合せ情報と異常陰影位置記憶手段３０に記憶されている異常陰影の位置に従って、基準画像Ｐである単純Ｘ線画像上にマークを付けた画像を生成して、例えばＷｅｂページとして、異常陰影位置表示手段４０で表示する。このとき、マークは検出元の画像がエネルギーサブトラクションの軟部画像であるか、経時サブトラクション画像であるかに応じて変えるようにし、マークの位置に存在する異常陰影を検出した画像とリンクしたリンク情報をＷｅｂページなどに埋め込んで表示画面２上に表示する（Ｓ１０３）。
【００４５】
ユーザは、表示画面２上に表示された基準画像Ｐを観察し、必要に応じて基準画像Ｐである単純Ｘ線画像上のマークをマウスなどでクリックして指示すると（Ｓ１０４）、指示受付手段６０により指示が受け付けられ、切替表示手段７０でマークの位置に存在する異常陰影を検出したエネルギーサブトラクションの軟部画像ＥＳや経時サブトラクション画像ＴＳのＷｅｂページに切替えられる（図４参照）。また、切替表示手段７０は、複数の画像から同じ位置あるいは近くに異常陰影が検出された場合には、プルダウンメニューなどで該当する画像の一覧を表示して切替える画像をユーザに指示させた後に切り替えるようにする（Ｓ１０５）。このとき、切り替えられた画像上の被写体の位置と基準画像Ｐの被写体の位置が表示画面２上の同じ位置に来るようにしたもの好ましい。
【００４６】
さらに、検出位置表示手段８０で、異常陰影を検出した画像上に、その画像から検出した異常陰影の位置にマークを重ねて表示をする（Ｓ１０６）。また、異常陰影の位置に表示したマークは、読影を行う際、読影の妨げとなる場合があるので、必要に応じてマーク消すことができるようにしたものが望ましい。
【００４７】
また、異常陰影を検出したエネルギーサブトラクションの軟部画像ＥＳや経時サブトラクション画像ＴＳを表示した後に、例えば、表示画面上に「戻る」と表示された箇所（不図示）をマウスでクリックして、再度、基準画像Ｐである単純Ｘ線画像に切り替える（Ｓ１０７）。再度、基準画像Ｐ上の別のマークを指示して他の異常陰影を検出した画像に切り替える（Ｓ１０４〜Ｓ１０６）。
【００４８】
本実施の形態では、医用画像表示装置１上で医用画像や加工画像から異常陰影を検出する場合について説明したが、他のＣＡＤ装置で医用画像や加工画像から異常陰影を検出した異常陰影の位置とその異常陰影が検出された医用画像または加工画像のデータを、ＣＡＤ装置から受け取るようにしてもよい。
【００４９】
以上、詳細に説明したように、基準画像上に全ての画像から検出された異常陰影の位置をマークすることで、異常陰影の現れた位置関係を確認するとともに基準画像に現れた画像を確認することができる。さらに、各マークを指示することで検出元の画像を表示することで、異常陰影であるか否か正確な診断を行なうことができ、診断性能を向上させることができる。
【図面の簡単な説明】
【００５０】
【図１】医用画像表示装置の概略構成図
【図２】基準画像を表示した図
【図３】基準画像上の異常陰影のマークと異常陰影を検出した画像との対応付けを説明するための図
【図４】基準画像上と異常陰影を検出した画像との切替を説明するための図
【図５】医用画像表示装置の処理の流れを説明するためのフローチャート
【符号の説明】
【００５１】
１    医用画像表示装置
２    表示画面
１０  医用画像記憶手段
２０  異常陰影検出処理
３０  異常陰影位置記憶手段
４０  異常陰影位置表示手段
６０  指示受付手段
７０  切替表示手段
８０  検出位置表示手段
Ｐ    基準画像
【図１】
2008000496.tif 000003
【図５】
2008000496.tif 000004
【図２】
2008000496.tif 000005
【図３】
2008000496.tif 000006
【図４】
2008000496.tif 000007